(57)【要約】【課題】  表示面を視認する角度が異なる場合においても良好な視認性を確保することができるデジタルフォトフレームを提供する。【解決手段】  表示面を視認する角度の違いにより表示画像の視認性が異なる表示部４と、前記表示部４に表示される画像を視認する人の位置を検出する検出部１０と、前記検出部１０による検出結果に基づいて、前記画像に対して前記画像の視認性を変更するための画像処理を施す画像処理部とを備える。【選択図】  図１
2011039334.tif 000002
【特許請求の範囲】
【請求項１】
表示面を視認する角度の違いにより表示画像の視認性が異なる表示部と、
前記表示部に表示される画像を視認する人の位置を検出する検出部と、
前記検出部による検出結果に基づいて、前記画像に対して前記画像の視認性を変更するための画像処理を施す画像処理部と、
を備えることを特徴とするデジタルフォトフレーム。
【請求項２】
前記表示部は、前記角度の違いにより前記表示画像の色の視認性が異なる有機ＥＬ表示部により構成され、
前記画像処理部は、前記画像に対して前記色を変更するための画像処理を施すことを特徴とする請求項１記載のデジタルフォトフレーム。
【請求項３】
前記表示部は、前記角度の違いにより前記表示画像のコントラストの視認性が異なる液晶表示部により構成され、
前記画像処理部は、前記画像に対して前記コントラストを変更するための画像処理を施すことを特徴とする請求項１記載のデジタルフォトフレーム。
【請求項４】
前記検出部により検出された少なくとも二人の位置から代表位置を算出する算出部を備え、
前記画像処理部は、前記代表位置に基づいて前記画像処理を施すことを特徴とする請求項１〜請求項３の何れか一項に記載のデジタルフォトフレーム。
【請求項５】
前記画像処理部は、前記表示面に対して前記角度が所定角度内かつ前記位置が所定距離以内に人が位置する場合には前記画像処理を施さないことを特徴とする請求項１〜請求項３の何れか一項に記載のデジタルフォトフレーム。
【発明の詳細な説明】
【技術分野】
【０００１】
本発明は、デジタルフォトフレームに関するものである。
【背景技術】
【０００２】
デジタルカメラで撮影した写真をディスプレイに表示することにより写真立てとして機能するデジタルフォトフレームが知られている（例えば、特許文献１参照）。
【先行技術文献】
【特許文献】
【０００３】
【特許文献１】特開２００３−１６９７３４号公報
【発明の概要】
【発明が解決しようとする課題】
【０００４】
ところで、従来のデジタルフォトフレームでは、写真立てとして部屋の中などに置かれ、鑑賞者が表示画像を正面からだけでなく斜め方向から視認する場合があるにも拘らず、表示面を視認する角度の違いにより表示画像の色やコントラスト等の視認性が異なる場合があった。
【０００５】
本発明の目的は、表示面を視認する角度が異なる場合においても良好な視認性を確保することができるデジタルフォトフレームを提供することである。
【課題を解決するための手段】
【０００６】
本発明のデジタルフォトフレームは、表示面を視認する角度の違いにより表示画像の視認性が異なる表示部と、前記表示部に表示される画像を視認する人の位置を検出する検出部と、前記検出部による検出結果に基づいて、前記画像に対して前記画像の視認性を変更するための画像処理を施す画像処理部とを備えることを特徴とする。
【発明の効果】
【０００７】
本発明のデジタルフォトフレームによれば、表示面を視認する角度が異なる場合においても良好な視認性を確保することができる。
【図面の簡単な説明】
【０００８】
【図１】実施の形態に係るデジタルフォトフレームの外観を示す斜視図である。
【図２】実施の形態に係るデジタルフォトフレームのシステム構成を示すブロック図である。
【図３】実施の形態に係る有機ＥＬディスプレイに表示される画像の色の視認性の違いを説明するためのグラフである。
【図４】実施の形態に係るデジタルフォトフレームにおいて、撮像部から出力される撮像信号に基づいてＣＰＵが行う処理について説明するためのフローチャートである。
【図５】鑑賞者とＤＰＦとの位置関係を説明するための図である。
【図６】鑑賞者とＤＰＦとの位置関係を説明するための図である。
【図７】実施の形態に係る有機ＥＬディスプレイに表示される画像の色の補正量の違いを説明するためのグラフである。
【図８】鑑賞者とＤＰＦとの位置関係を説明するための図である。
【図９】鑑賞者とＤＰＦとの位置関係を説明するための図である。
【発明を実施するための形態】
【０００９】
以下、図面を参照して、本発明の第１の実施の形態に係るデジタルフォトフレームについて説明する。図１は、第１の実施の形態に係るデジタルフォトフレーム（以下、ＤＰＦという）２の外観を示す斜視図である。なお、ＤＰＦとしては机等の上に立て掛けて設置するものや、壁に掛けて設置するもの等が存在するが、本実施の形態としては、机等に立て掛けて設置するもの（電子写真立て）を例に挙げて説明する。
【００１０】
図１に示すように、ＤＰＦ２の前面には、有機ＥＬ（Ｅｌｅｃｔｒｏ  Ｌｕｍｉｎｅｓｃｅｎｃｅ）ディスプレイ４、スピーカ６、信号受信部８、及び撮像部１０が設けられている。有機ＥＬディスプレイ４は、鑑賞用画像や時刻等の情報を電気的に表示し、スピーカ６は、音楽や音声を出力する。信号受信部８は、操作用リモコン（図示せず）から出力される赤外線等の遠隔操作信号を受信する。撮像部１０は、例えば広角レンズ等を備え、広角で撮像可能に構成されており、有機ＥＬディスプレイ４から所定範囲内に位置する人、即ち有機ＥＬディスプレイ４に表示される表示画像を鑑賞している鑑賞者を撮像する。撮像部１０からの撮像信号は、後述するＣＰＵ２２（図２参照）に対して出力される。
【００１１】
また、ＤＰＦ２の上面には、ＤＰＦ２の電源のオン／オフを行う電源スイッチ１２、及びＤＰＦ２の機能設定や有機ＥＬディスプレイ４の表示設定の際に操作される操作キー１４が設けられている。また、ＤＰＦ２の一方の側面には、画像や音楽等のデータが記録されたメモリカードが挿入されるメモリカードスロット１６、ＵＳＢ機器が接続されるＵＳＢポート１８、インターネット等のネットワークに接続する際に用いられるネットワーク端子２０が設けられている。
【００１２】
図２は、第１の実施の形態に係るＤＰＦ２のシステム構成を示すブロック図である。図２に示すように、ＤＰＦ２は、ＤＰＦ２の各部を統括的に制御するＣＰＵ２２を備えている。ＣＰＵ２２には、信号受信部８、電源スイッチ１２、操作キー１４、メモリカードスロット１６、ＵＳＢポート１８、ネットワーク端子２０、内部メモリ２４、表示制御部２６、再生制御部２８、及び撮像部１０が接続されている。内部メモリ２４には、ＤＰＦ２の機能の設定データ、画像や音楽等のデータが記憶されている。また、表示制御部２６は、有機ＥＬディスプレイ４に表示される画像や設定画面等の表示制御を行い、再生制御部２８は、スピーカ６から出力される音楽や音声の再生制御を行う。
【００１３】
この実施の形態では、有機ＥＬディスプレイ４に表示される表示画像は、有機ＥＬディスプレイ４の表示面を視認する角度の違いによりその色の視認性が異なる。図３は、有機ＥＬディスプレイ４の表示面を視認する角度（横軸）の違いによる、表示画像の色（縦軸）の視認性の違いを示すグラフである。図３のグラフに示すように、有機ＥＬディスプレイ４の表示面を正面から視認した場合（視認する角度＝０°）の画像の色（白バランス）を基準としたとき、表示面を斜め方向から視認した場合（−１７０°≦角度＜０°，０°＜角度≦１７０°）には、表示面を視認する角度が大きくなるに従い、画像の白バランスは変化し、青味を増す。即ち、鑑賞者には、表示面を正面から視認した場合と、表示面を斜め方向から視認した場合とにおいて、表示画像の色が異なって見える。
【００１４】
次に、図４に示すフローチャートを参照して、第１の実施の形態に係るＤＰＦ２において、撮像部１０から出力される撮像信号に基づいてＣＰＵ２２が行う処理について説明する。
【００１５】
まず、ＣＰＵ２２は、撮像部１０により有機ＥＬディスプレイ４から所定範囲内に位置する人が撮像された撮像信号を取得し（ステップＳ１０）、撮像信号に基づき画像データを生成する。そして、生成された画像データから、有機ＥＬディスプレイ４から所定範囲内に位置する人、即ち撮像部１０により撮像された人（鑑賞者）が一人か否かを判別する（ステップＳ１１）。即ち、ＣＰＵ２２は、所定範囲内に位置する人（撮像部１０により撮像される人）を有機ＥＬディスプレイ４に表示されている表示画像を鑑賞している鑑賞者と見なす。
【００１６】
ステップＳ１１において鑑賞者が一人であると判別された場合には（ステップＳ１１、Ｙｅｓ）、ＣＰＵ２２は、その鑑賞者の位置を特定し、その鑑賞者が所定角度内に位置しているか否かを判別する（ステップＳ１２）。所定角度は、図３のグラフに示すように、画像の白バランスの変化がなく、表示画像の色が異なって見えない角度の範囲（例えば−２０°≦角度≦２０°）のことであり、予め設定され、内部メモリ２４等に記憶されている。ステップＳ１２において鑑賞者が所定角度内に位置していると判別された場合（ステップＳ１２、Ｙｅｓ）、例えば図５に示すように、鑑賞者Ａが一人であり、かつＤＰＦ２の略正面に位置している場合には、ＣＰＵ２２は、メモリカードや内部メモリ２４に記録されている画像データから形成される画像を、画像処理を施すことなく、有機ＥＬディスプレイ４に表示する。
【００１７】
一方、ステップＳ１２において鑑賞者が所定角度内に位置していないと判別された場合（ステップＳ１２、Ｎｏ）、例えば図６に示すように、鑑賞者Ｂが一人であり、かつ斜め方向（所定角度外）からＤＰＦ２（有機ＥＬディスプレイ４）を視認している場合には、ＣＰＵ２２は、メモリカードや内部メモリ２４に記録されている画像データに対して、色を変更するための画像処理を施す（ステップＳ１３）。即ち、画像の白バランスに黄味を所定量加味させる画像処理を施し、画像処理された画像データから形成される画像を有機ＥＬディスプレイ４に表示する。このように、画像データに対して黄味を所定量加味させる補正を行うことにより、鑑賞者Ｂは、斜め方向から視認しているにも拘らず、青味を帯びた画像でなく白バランスの良好な画像を視認することができる。
【００１８】
図７は、有機ＥＬディスプレイ４の表示面を視認する角度（横軸）の違いによる、表示画像の色（白バランス）の補正量を示すグラフである。図７のグラフに示すように、有機ＥＬディスプレイ４の表示面を正面から視認した場合（視認する角度＝０°）の表示画像の色（白バランス）を基準とし、表示面を視認する角度が大きくなるに従い、表示画像の白バランスに黄味を増大させる画像処理を施す。即ち、表示面を斜め方向から視認したときの表示画像を、表示面を正面から視認したときの表示画像と同様の白バランスで視認できるように、図３のグラフに示すような青味を帯びた表示画像に、色の視認性を補正するための画像処理を施す。なお、白バランスに黄味を加味させる量（所定量）は、図７のグラフに示すように表示面を視認する角度により異なり、例えば様々な角度に基づいてテーブル化されて内部メモリ２４に記憶されている。
【００１９】
また、ステップＳ１１において鑑賞者が一人でない、即ち二人以上であると判別された場合には（ステップＳ１１、Ｎｏ）、ＣＰＵ２２は、それら鑑賞者の中の少なくとも一人が所定角度内、かつ所定距離以内に位置しているか否かを判別する（ステップＳ１４）。所定距離は、ＤＰＦ２から鑑賞者までの距離であって、鑑賞者がＤＰＦ２を確実に視認しているであろうと予測できる近距離内で予め設定され、内部メモリ２４等に記憶されている。
【００２０】
ステップＳ１４において鑑賞者の中の少なくとも一人が所定角度内、かつ所定距離以内に位置していないと判別された場合（ステップＳ１４、Ｎｏ）、例えば図８に示すように、鑑賞者Ｃ，Ｄの何れも所定距離ｄ以内に位置していない（所定距離ｄより外側に位置している）場合には、ＣＰＵ２２は、鑑賞者Ｃ，Ｄの位置（ＤＰＦ２に対する角度及びＤＰＦ２からの距離）の代表位置（図８では、位置Ｅ）を算出する（ステップＳ１５）。代表位置としては、鑑賞者Ｃ，Ｄの位置の平均位置、中間位置、重心位置等が挙げられる。
【００２１】
次に、ＣＰＵ２２は、メモリカードや内部メモリ２４に記録されている画像データに対して、白バランスに黄味を所定量加味させる画像処理を施す（ステップＳ１３）。具体的には、ステップＳ１５において算出された代表位置Ｅから表示面を視認する角度に基づいて、図７のグラフに示す量（所定量）だけ白バランスに黄味を加味させる画像処理を施す。そして、ステップＳ１３において画像処理された画像データから形成される画像を有機ＥＬディスプレイ４に表示する。このように、画像データに対して黄味を所定量加味させる補正を行うことにより、鑑賞者Ｃ，Ｄの双方が白バランスの良好な画像を視認することができる。
【００２２】
一方、ステップＳ１４において鑑賞者の中の少なくとも一人が所定角度内、かつ所定距離以内に位置していると判別された場合（ステップＳ１４、Ｙｅｓ）、例えば図９に示すように、鑑賞者Ｆ，Ｇのうち鑑賞者Ｆが所定角度内かつ所定距離ｄ以内に位置している場合には、ＣＰＵ２２は、メモリカードや内部メモリ２４に記録されている画像データから形成される画像を、画像処理を施すことなく、有機ＥＬディスプレイ４に表示する。即ち、ＤＰＦ２の近傍で確実に画像を鑑賞している鑑賞者Ｆが白バランスの良好な画像を視認することができるように、ＤＰＦ２に対して斜め方向かつ比較的遠くに位置する鑑賞者Ｇの存在を考慮することなく、表示画像を有機ＥＬディスプレイ４に表示する。
【００２３】
なお、ステップＳ１４及びＳ１５では、撮像部１０により２人の鑑賞者が撮像された例を挙げて説明しているが（図８及び図９参照）、３人以上の鑑賞者が撮像された場合も同様の処理を行う。
【００２４】
第１の実施の形態に係るＤＰＦ２によれば、有機ＥＬディスプレイ４の表示面を視認する角度が異なる場合においても良好な色の視認性を確保することができる。
【００２５】
次に、図面を参照して、本発明の第２の実施の形態に係るＤＰＦについて説明する。なお、第２の実施の形態に係るＤＰＦにおいては、第１の実施の形態に係るＤＰＦ２の有機ＥＬディスプレイ４に代えて液晶ディスプレイが設けられ、その他の構成は第１の実施の形態に係るＤＰＦ２と同一の構成を有しているため、その説明を省略し、同一の構成には同一の符号を用いて説明を行う。
【００２６】
この実施の形態では、液晶ディスプレイに表示される表示画像は、表示面を視認する角度の違いによりそのコントラストの視認性が異なる。即ち、液晶ディスプレイの表示面を正面から視認した場合（視認する角度＝０°）の画像のコントラストを基準としたとき、表示面を斜め方向から視認した場合（−１７０°≦角度＜０°，０°＜角度≦１７０°）には、表示面を視認する角度が大きくなるに従い、図３のグラフに示す画像の色の変化と同様に、表示画像のコントラストは徐々に低下する。即ち、鑑賞者には、表示面を正面から視認した場合と、表示面を斜め方向から視認した場合とにおいて、表示画像のコントラストが異なって見える。
【００２７】
次に、図４に示すフローチャートを参照して、第２の実施の形態に係るＤＰＦにおいて、撮像部１０から出力される撮像信号に基づいてＣＰＵ２２が行う処理について説明する。なお、ステップＳ１０〜Ｓ１２、Ｓ１４、Ｓ１５の処理は、第１の実施の形態に係るＤＰＦ２におけるＣＰＵ２２の処理と同一のため、説明を省略する。
【００２８】
ステップＳ１２において鑑賞者が所定角度内に位置していないと判別された場合（ステップＳ１２、Ｎｏ）、または、ステップＳ１４において鑑賞者の中の少なくとも一人が所定角度内、かつ所定距離以内に位置していないと判別され（ステップＳ１４、Ｎｏ）、複数の鑑賞者の位置の代表位置が算出された場合には（ステップＳ１５）、ＣＰＵ２２は、メモリカードや内部メモリ２４に記録されている画像データに対して、コントラストを変更するための画像処理を施す（ステップＳ１３）。即ち、画像のコントラストを所定量増加させる画像処理を施し、画像処理された画像データから形成される画像を液晶ディスプレイに表示する。
【００２９】
具体的には、液晶ディスプレイの表示面を正面から視認した場合（視認する角度＝０°）の画像のコントラストを基準とし、表示面を視認する角度が大きくなるに従い、画像のコントラストを増大させる画像処理を施す。即ち、表示面を斜め方向から視認したときに低下するコントラストの量だけコントラストを増大させることにより、表示面を正面から視認したときと同様の画像を視認できるように画像の視認性を補正する。なお、表示画像のコントラストの補正量（所定量）は、表示面を視認する角度により異なり、例えば様々な角度に基づいてテーブル化されて内部メモリ２４に記憶されている。このように、画像データに対してコントラストを所定量増加させる補正を行うことにより、斜め方向から視認している鑑賞者は、コントラストの低い画像でなくコントラストの良好な画像を視認することができる。
【００３０】
第２の実施の形態に係るＤＰＦによれば、液晶ディスプレイの表示面を視認する角度が異なる場合においても良好なコントラストの視認性を確保することができる。
【００３１】
なお、上述の各実施の形態においては、有機ＥＬディスプレイ４または液晶ディスプレイから所定範囲内に位置する人を検出する検出部として撮像部１０を備えているが、撮像部１０に代えて赤外線センサ等の人感センサを備えるようにしてもよい。また、操作用リモコンから出力される赤外線等を信号受信部８で受信することにより検出可能な操作用リモコンの位置を、操作用リモコンを操作する鑑賞者の位置として検出してもよい。
【符号の説明】
【００３２】
２…デジタルフォトフレーム（ＤＰＦ）、４…有機ＥＬディスプレイ、６…スピーカ、８…信号受信部、１０…撮像部、１２…電源スイッチ、１４…操作キー、１６…メモリカードスロット、１８…ＵＳＢポート、２０…ネットワーク端子、２２…制御部、２４…内部メモリ、２６…表示制御部、２８…再生制御部。
【図１】
2011039334.tif 000003
【図２】
2011039334.tif 000004
【図３】
2011039334.tif 000005
【図４】
2011039334.tif 000006
【図５】
2011039334.tif 000007
【図６】
2011039334.tif 000008
【図７】
2011039334.tif 000009
【図８】
2011039334.tif 000010
【図９】
2011039334.tif 000011